(57)【要約】【課題】取り扱いが簡単で、再利用が可能な緩衝材を提供する。【解決手段】本考案は断面Ｕ字状の溝部１２を有する帯状の緩衝材１０である。本考案は溝部側の面１１Ａおよび溝部と反対側の面１１Ｂに、互いに係合可能な面ファスナー１３Ａ，１３Ｂを設けたことを特徴とする。本考案においては、面ファスナー１３Ａ，１３Ｂを溝部側の面１１Ａおよび溝部と反対側の面１１Ｂの全域にわたって設けるのが好ましい。緩衝材本体１１は、発泡ポリウレタン製であるのが好ましい。【選択図】図１
0003156511.tif 000002
【実用新案登録請求の範囲】
【請求項１】
断面Ｕ字状の溝部を有する帯状の緩衝材であって、
前記溝部側の面および前記溝部と反対側の面に、互いに係合可能な面ファスナーを設けたことを特徴とする緩衝材。
【請求項２】
前記面ファスナーを、前記溝部側の面および前記溝部と反対側の面の全域にわたって設けたことを特徴とする請求項１の緩衝材。
【請求項３】
前記面ファスナーが設けられている緩衝材本体は発泡ポリウレタンからなることを特徴とする請求項１または請求項２に記載の緩衝材。
【考案の詳細な説明】
【技術分野】
【０００１】
本考案は、緩衝材に関する。
【背景技術】
【０００２】
従来から、物品を移動・運搬する際には、破損や事故等の発生を防止するために、物品の周縁部や角部などを覆って衝撃などから物品を保護する緩衝材が使用されている。
【０００３】
このような緩衝材としては、例えば、ダンボール材や例えば特許文献１に記載されているようなテープ状のものなどが広く用いられている。これらの緩衝材は、物品の移動等が終了し緩衝材としての役目を終えた後は、物品から取り外される。
【先行技術文献】
【特許文献】
【０００４】
【特許文献１】特開平６−１５７９９８号公報
【考案の概要】
【考案が解決しようとする課題】
【０００５】
ダンボール材を緩衝材として使用する際には、物品の形状などに合わせて組み立てたり、粘着テープなどを用いて物品に固定する必要があり、手間がかかる。
【０００６】
一方、上記特許文献１に例示されているテープ状の緩衝材は、物品に取り付ける際には保護したい部分に貼り付けるだけでよいので、手間はかからない。しかしながら、物品との接着力が高い場合や、物品に取り付けられている時間が長い場合には、緩衝材としての役目を終えた後に取り外し難かったり、取り外しの際に物品側に接着剤が残ることがある。
【０００７】
さらに、テープ状の緩衝材は、一度物品から剥がしてしまうと再接着しにくいため再利用が困難であり、多く場合、廃棄されることとなり、ごみが多量に発生するという問題もある。
本考案は上記のような事情に基づいて完成されたものであって、取り扱いが簡単で、再利用が可能な緩衝材を提供することを目的とする。
【課題を解決するための手段】
【０００８】
上記課題を解決するものとして、本考案は、断面Ｕ字状の溝部を有する帯状の緩衝材であって、前記溝部側の面および前記溝部と反対側の面に、互いに係合可能な面ファスナーを設けたところに特徴を有する。
【０００９】
本考案の緩衝材は、例えば以下のようにして物品に取り付けられる。緩衝材の溝部に例えば、物品の周縁部などをはめこんでから、取り付け始端部と終端部とを重ね合わせて接合することにより緩衝材は物品に取り付けられる。本考案の緩衝材には溝部側の面と溝部と反対側の面とに互いに係合可能な面ファスナーが設けられているので、取り付け始端部と終端部とを係合状態とすることにより容易に取り付けられる。また、緩衝材としての役目を終えた後に本考案の緩衝材を取り外す際には、取り付け始端部と終端部を非係合状態とし、緩衝材を物品から引き離すことにより容易に取り外すことができる。
【００１０】
すなわち、本考案によれば、緩衝材を取り付ける際に接着剤が不要であり物品に接着剤などが残ることがないうえに、取りはずす際にも手間がかからないので、取り扱いが簡単である。また、本考案によれば、緩衝材としての役目を終えて物品から取り外した後にも、再度上述した如く物品に取り付けて使用可能であるので、再利用が可能である。
従って、本考案によれば、取り扱いが簡単で、再利用が可能な緩衝材を提供することができる。
【００１１】
本考案は以下の構成とするのが好ましい。
前記面ファスナーを、前記溝部側の面および前記溝部と反対側の面の全域にわたって設けてもよい。このような構成とすると、所望の位置で容易に取り付け始端部と終端部とを係合可能である。
【００１２】
前記面ファスナーが設けられている緩衝材本体は発泡ポリウレタンからなる構成としてもよい。このような構成とすれば、衝撃吸収性に優れたものとすることができる。
【考案の効果】
【００１３】
本考案によれば、取り扱いが簡単で、再利用が可能な緩衝材を提供することができる。
【図面の簡単な説明】
【００１４】
【図１】実施形態１の緩衝材の断面図
【図２】緩衝材の使用状態を示す一部斜視図
【図３】緩衝材本体（面ファスナー接合前の緩衝材）の断面図
【図４】緩衝材の表面に面ファスナーを接合する工程を示す模式図
【図５】変形状態にある緩衝材本体を示す断面図
【図６】溝部と反対側の面に面ファスナーを接合した直後の緩衝材本体の断面図
【図７】溝部と反対側の面に面ファスナーを備える緩衝材本体の断面図
【考案を実施するための形態】
【００１５】
＜実施形態１＞
本考案の実施形態１を図１ないし図７によって説明する。
本実施形態の緩衝材１０は、図１および図２に示すように、全体として帯状をなし、断面Ｕ字状の溝部１２を有している。
本実施形態の緩衝材１０においては、発泡ポリウレタン製の緩衝材本体１１の表面１１Ａ，１１Ｂを覆うように、面ファスナー１３Ａ，１３Ｂが設けられている。詳しくは、緩衝材本体１１の溝部側の面１１Ａには面ファスナー１３Ａが全域にわたって貼り付けられており、緩衝材本体１１の溝部と反対側の面１１Ｂには、溝部側の面ファスナー１３Ａに係合可能な面ファスナー１３Ｂが全域に渡って貼り付けられている。
【００１６】
次に、本実施形態の緩衝材１０の製造方法について簡単に説明する。
緩衝材本体１１を、図３に示すような形状となるように発泡成形する。次に、緩衝材本体１１の２つの面１１Ａ，１１Ｂに、それぞれ、面ファスナー１３Ａ，１３Ｂを接着剤を介して接合する。
【００１７】
図４は緩衝材本体１１の溝部側の面１１Ａに面ファスナー１３Ａを接合する装置２０を模式的に示した図である。緩衝材本体１１は、図４に示すように、下側のローラー２１の近傍に設けた略Ｖ字形のガイド２２により、溝部側の面１１Ａが扁平面となるように変形された状態で送られる（図５を参照）。下側のローラー２１により送られた緩衝材本体１１の上側面（溝部側の面１１Ａ）には、上側のローラー２３により送られた面ファスナー１３Ａが接合される。
【００１８】
緩衝材本体１１の２つの面１１Ａ，１１Ｂに面ファスナー１３Ａ，１３Ｂを接合する工程、すなわち、溝部側の面１１Ａに面ファスナー１３Ａを接合する工程、および溝部と反対側の面１１Ｂに面ファスナ１３Ｂーを接合する工程は、どちらを先に行ってもよい。
図７は、溝部と反対側の面１１Ｂに面ファスナー１１Ｂを接合した状態の緩衝材本体１１を示す図である。溝部と反対側の面１１Ｂに面ファスナー１１Ｂを接合する際には、図４に示す装置２０と同様に、緩衝材本体１１を変形させるガイドと、緩衝材本体１１を送るローラーと、面ファスナー１１Ｂを送るローラーとを備えた装置（図示せず）を使用する。溝部と反対側の面１１Ｂに面ファスナー１１Ｂを接合した直後においては、図６に示すように、緩衝材本体１１の溝部と反対側の面１１Ｂと、面ファスナー１３Ｂと、の間には、隙間２４が空いているが、変形状態にあった緩衝材本体１１が復帰すると、図７に示すように緩衝材本体１１と面ファスナー１３Ｂとの間の隙間２４がなくなる。
【００１９】
次に、本実施形態の緩衝材１０の使用方法および効果について説明する。
本実施形態の緩衝材１０は、例えばパイプの縁部、のこぎりの刃、ガラスの縁部、ロッカーの足部分など種々の部分に取り付けることができる。
【００２０】
本実施形態の緩衝材１０は、図２に示すように、衝撃から保護したい物品１の周縁２を溝部１２にはめ込んでから、取り付け始端部１４と終端部１５とを重ね合わせて２つの面ファスナー１３Ａ，１３Ｂを接合状態にすることにより、物品１に取り付けられる。緩衝材１０としての役目を終えた後には、取り付け始端部１４と終端部１５を非係合状態とし、緩衝材１０を物品１から引き離すことにより容易に取り外すことができる。
【００２１】
すなわち、本実施形態によれば、緩衝材１０を取り付ける際に接着剤が不要であり物品１に接着剤などが残ることがないうえに、取りはずす際にも手間がかからないので、取り扱いが簡単である。また、本実施形態によれば、緩衝材１０としての役目を終えて物品１から取り外した後にも、再度上述した如く物品１に取り付けて使用可能であるので、再利用が可能である。
従って、本実施形態によれば、取り扱いが簡単で、再利用が可能な緩衝材１０を提供することができる。
【００２２】
また、本実施形態によれば、面ファスナー１３Ａ，１３Ｂを、溝部側の面１１Ａおよび溝部と反対側の面１１Ｂの全域にわたって設けているから、所望の位置で容易に２つの面ファスナー１３Ａ，１３Ｂを係合することができる。
さらに、本実施形態によれば、緩衝材本体１１は、発泡ポリウレタンからなるので、衝撃吸収性に優れる。
【００２３】
＜他の実施形態＞
本考案は上記記述及び図面によって説明した実施形態に限定されるものではなく、例えば次のような実施形態も本考案の技術的範囲に含まれる。
（１）上記実施形態では、面ファスナーを溝部側の面および溝部と反対側の面の全域にわたって設けたものを示したが、面ファスナーを取り付け始端部と取り付け終端部にのみ設けてもよい。
（２）上記実施形態では、緩衝材として、発泡ポリウレタン製のものを示したが、紙製のものや発泡ポリウレタン以外の樹脂からなるものなどであってもよい。
【符号の説明】
【００２４】
１…（緩衝材が取り付けられる）物品
２…（物品の）周縁
１０…緩衝材
１１…緩衝材本体
１１Ａ…溝部側の面
１１Ｂ…溝部と反対側の面
１２…溝部
１３Ａ…（溝部側の）面ファスナー
１３Ｂ…（溝部と反対側の）面ファスナー
１４…取り付け始端部
１５…終端部
【図１】
0003156511.tif 000003
【図２】
0003156511.tif 000004
【図３】
0003156511.tif 000005
【図４】
0003156511.tif 000006
【図５】
0003156511.tif 000007
【図６】
0003156511.tif 000008
【図７】
0003156511.tif 000009